(57)【要約】      （修正有）【課題】より汎用性の高い捺印補助具を提供する。【解決手段】本考案の捺印補助具１０を、中央に貫通孔１２を有する矩形板１４と、丸印を貫通孔１２に通して固定する雄螺子（固定手段）１８と、を備えて構成した。矩形板１４は、正方形の矩形であり、４つの外側面２０（１），２０（２），２０（３）及び２０（４）を有し、１つの外側面２０から貫通孔１２に至る雌螺子孔２２を有するように構成した。雄螺子１８は、雌螺子孔２２に螺入され、先端２４が貫通孔１２に通された丸印の側面２６を押圧することにより、丸印が貫通孔１２に通された状態で矩形板１４に固定されるように構成した。【選択図】図１
0003214057.tif 000002
【実用新案登録請求の範囲】
【請求項１】
正方形又は長方形の矩形であり、少なくとも一端に直線状の端面を有し、中央に貫通孔を有する透明な板体と、
印鑑を前記板体の前記貫通孔内に通し、該印鑑を該板体に対して略垂直に固定する固定手段と、
を備えた捺印補助具。
【請求項２】
前記板体は、正方形、長方形、多角形又は半円形である請求項１に記載する捺印補助具。
【請求項３】
前記板体は、外側面を有し、該外側面から前記貫通孔に至る雌螺子孔を有し、
前記固定手段は、前記雌螺子孔に螺入され、先端が前記印鑑の側面を押圧するように構成された雄螺子である請求項１又は２に記載する捺印補助具。
【考案の詳細な説明】
【技術分野】
【０００１】
本考案は、印鑑を書面に捺印して書面上に表れる印影の方向を調整するための捺印補助具に関する。
【背景技術】
【０００２】
印鑑は、文字を彫った印面に対して逆の天面を上にして書面に捺印する。図５（ａ）及び（ｂ）に示すような円形の断面を有する丸印（印鑑）１の場合、印面２に対して逆の天面３を上にして、天面３を上からみると円形であるため、印面２の文字の方向を予測できない。このため、図５（ｃ）に示すように、書面４に捺印して表れた印影５の方向が斜めになることがあった。印影５の方向が斜めになると、捺印した書面４としての外観上好ましくなかった。このため、印影の方向が斜めになるのを防止することができる捺印補助具について出願されている（例えば、特許文献１参照。）。特許文献１に示す捺印補助具は、丸印に取り付けて使用するが、取り付けることのできる丸印１の寸法が限定され、汎用性が高くなかった。このため、汎用性の高い捺印補助具が望まれている。また、捺印者の中には、常に一定の角度で傾けて捺印し、本人以外の者が捺印したのかを判別できるようにしている者もいるが、常に一定の角度で傾けて捺印するのは困難であった。
【先行技術文献】
【特許文献】
【０００３】
【特許文献１】特開２０１０−２４７５０１号公報
【考案の概要】
【考案が解決しようとする課題】
【０００４】
本考案の目的は、汎用性の高い捺印補助具を提供することにある。
【課題を解決するための手段】
【０００５】
本考案の捺印補助具は、正方形又は長方形の矩形であり、少なくとも一端に直線状の端面を有し、中央に貫通孔を有する透明な板体と、
印鑑を前記板体の前記貫通孔内に通し、該印鑑を該板体に対して略垂直に固定する固定手段と、
を備えたことを特徴とする。
また、本考案の捺印補助具は、前記捺印補助具において、前記板体は、正方形、長方形、多角形又は半円形であることを特徴とする。
また、本考案の捺印補助具は、前記捺印補助具において、前記板体は、外側面を有し、該外側面から前記貫通孔に至る雌螺子孔を有し、前記固定手段は、前記雌螺子孔に螺入され、先端が前記印鑑の側面を押圧するように構成された雄螺子であることを特徴とする。
【考案の効果】
【０００６】
本考案の捺印補助具によれば、印鑑の印面の文字の方向が板体の直線状の端面に対して垂直又は平行になるように調整して、印鑑を板体に固定した後、板体の４辺のいずれかと捺印する書面の側辺又は下辺等との相対方向を確認しながら、書面に捺印することにより、印影の文字の方向が書面の側辺等に対して一定方向で捺印することができ、捺印した書面の外観上好ましい。また、印鑑を板体の貫通孔に通して固定手段によって固定するため、貫通孔に通すことができ固定手段によって固定できる寸法の印鑑であれば、捺印補助具を使用して捺印できる。このため、１個の捺印補助具によって種々の寸法の印鑑に対応でき、捺印補助具としての汎用性が高くなる。
【図面の簡単な説明】
【０００７】
【図１】本考案の捺印補助具の斜視図である。
【図２】図１の捺印補助具の使用状態を示す図であり、同図（ａ）は底面図であり、同図（ｂ）は平面図であり、同図（ｃ）は捺印して表れる印影を示す平面図である。
【図３】本考案の捺印補助具の他の実施形態を示す平面図である。
【図４】本考案の捺印補助具の他の実施形態を示す平面図である。
【図５】同図（ａ）は印鑑を示す正面図であり、同図（ｂ）は印鑑を示す平面図であり、同図（ｃ）は捺印した書面を示す平面図である。
【考案を実施するための形態】
【０００８】
本考案の捺印補助具について図面に基づいて説明する。図１において、符号１０は、本考案の捺印補助具である。
【０００９】
（構成）
本考案の捺印補助具１０は、印面２及び天面３を有する丸印（印鑑）１を書面に捺印して書面上に表れる印影の方向を調整できるように構成されている。捺印補助具１０は、図１に示すように、中央に貫通孔１２を有する矩形板（板体）１４と、丸印１を貫通孔１２に通して固定する雄螺子（固定手段）１８と、を備えて構成される。矩形板１４は、正方形の矩形であり、４つの外側面２０（１），２０（２），２０（３）及び２０（４）を有する。矩形板１４は、樹脂から構成され、向こう側の書面等の捺印すべき箇所を目視で確認しやすいように無色透明であるが、有色であってもよい。矩形板１４は、外側面２０（１）から貫通孔１２に至る雌螺子孔２２を有する。貫通孔１２は、円形であるが矩形であってもよい。雄螺子１８は、雌螺子孔２２に螺入され、先端２４が貫通孔１２に通された丸印１を押圧することにより、丸印１が雄螺子１８の先端２４と貫通孔１２の内周面とによって挟持され、丸印１が貫通孔１２に通された状態で矩形板１４に固定されるように構成されている。矩形板１４、貫通孔１２及び雄螺子１８の寸法は、特に限定されず、丸印１を貫通孔１２に通すことができ、雄螺子１８の先端２４で丸印１を押圧できる寸法であればよい。直径の異なる複数の丸印に対応するように、貫通孔は大きめの内径とされる。種々の寸法の丸印１に対応して、種々の寸法の捺印補助具１０を準備することが好ましい。
【００１０】
(作用)
捺印補助具１０、及び貫通孔１２に通すことができ雄螺子１８の先端２４で押圧できる寸法の丸印１が準備される。捺印補助具１０は、捺印しようとする丸印１を、図１に示すように、矩形板１４の貫通孔１２に通し、雄螺子１８を右に回転して印鑑１に接近させ、雄螺子１８の先端２４を丸印１の側面２６に押圧させる。丸印１は、雄螺子１８の先端２４と貫通孔１２の内周面とによって挟持され、丸印１が矩形板１４に対して垂直な状態で矩形板１４に固定される。この時、丸印１の印面２を上にして目視し、図２（ａ）に示すように、印面２の縦書きの文字「山本」の縦方向が、外側面２０（１）及び２０（３）に対して平行であり、外側面２０（２）及び２０（４）に対して垂直となるように調整する。
【００１１】
次に、丸印１に朱肉の朱液を付け、図２（ｂ）に示すように、書面４の捺印する位置３０の上で丸印１の天面３を上にした状態で、丸印１又は矩形板１４を握持する。この時、矩形板１４の外側面２０（２）が書面４の下辺３２に対して平行であり、矩形板１４の外側面２０（３）が書面４の側辺３４に対して平行となるように調整する。矩形板１４の外側面２０（２）が書面４の下辺３２に対して平行であり、矩形板１４の外側面２０（３）が書面４の側辺３４に対して平行な状態を維持しながら、書面４の捺印する位置３０に捺印する。予め、印面２の縦書きの文字「山本」の縦方向が、外側面２０（１）及び２０（３）に対して平行であり、外側面２０（２）及び２０（４）に対して垂直となるように調整しているため、図２（３）に示すように、印影３６は、縦書きの文字「山本」の縦方向が、書面４の下辺３２に対して垂直であり、書面４の側辺３４に対して平行な状態で表れる。
【００１２】
（効果）
本考案の捺印補助具１０によれば、縦書きの文字「山本」の縦方向が、書面４の下辺３２に対して垂直であり、書面４の側辺３４に対して平行な状態で印影３６が表れるため、捺印した書面４の外観上好ましい。また、書面４の側辺３４に対して一定角度に傾けて捺印することも可能である。また、丸印１を貫通孔１２に通して雄螺子１８の先端２４で丸印１の側面２６を押圧して固定するため、貫通孔１２に通すことができ雄螺子１８の先端２４押圧できる寸法の丸印１であれば、捺印補助具１０を使用して捺印できる。このため、１個の捺印補助具１０によって種々の寸法の丸印に対応でき、汎用性が高くなる。また、丸印１の矩形板１４への固定は、雄螺子１８を回転させることのみによって行うことができるため、丸印１の矩形板１４への固定が容易で使いやすい。
【００１３】
以上、本考案の実施形態について説明したが、本考案は上述の実施形態に限定されない。
【００１４】
捺印補助具１０において、図３に示すように、雄螺子１８の先端２４に、印鑑１の側面２６を押圧する弾性部材３８を固定して構成してもよい。図３に示す捺印補助具１０は、弾性部材３８を備えること以外は、図１に示す捺印補助具１０と同じ構成である。印鑑１の側面２６の湾曲面を弾性部材３８全体によって面接触で押圧することができ、印鑑１を矩形板１４に強固且つ安定した状態で固定できる。
【００１５】
また、捺印補助具１０の固定手段は、図４に示すように、丸印１を矩形板１４の貫通孔１２に通して挟持し、矩形板１４に対して略垂直に固定するクリップ４０であってもよい。クリップ４０は、矩形板１４に接着剤によって固定された第一挟持部材４２と、第一挟持部材４２に対して回動摺り第二挟持部材４４と、第一挟持部材４２及び第二挟持部材４４が閉じる方向に付勢力を付与するバネ４６とを備えて構成される。第一挟持部材４２及び第二挟持部材４４は、無色透明であるが、有色であっても良い。
【００１６】
その他、本考案は、その主旨を逸脱しない範囲で当業者の知識に基づき種々の改良、修正、変更を加えた態様で実施できるものである。例えば、矩形板の貫通孔を正方形又は長方形とし、貫通孔内に正方形又は長方形の断面を有する角印を通して矩形板に固定する構成であってもよい。
【符号の説明】
【００１７】
１：丸印（印鑑）
２：印面
３：天面
１０：捺印補助具
１２：貫通孔
１４：矩形板（板体）
１８：雄螺子（固定手段）
２０：外側面
２２：雌螺子孔
２４：先端
２６：側面
３２：下辺
３４：側辺
３６：印影
【図１】
0003214057.tif 000003
【図２】
0003214057.tif 000004
【図３】
0003214057.tif 000005
【図４】
0003214057.tif 000006
【図５】
0003214057.tif 000007